(57)【要約】      （修正有）【課題】玄関のスペースを有効に利用し、玄関での着座を容易に行うことができ、さらには、玄関全体の外観劣化を防ぐ収納式玄関座具を提供する。【解決手段】玄関に設置される収納家具２０に装着される収納式玄関座具であって、収納式玄関座具１は、収納家具に鉛直方向に配設された座板２と、座板を水平方向にスライドさせるとともに、左右方向に回転させるスライド機構１０とを備える。また座板に、収納自在に装着された脚部を備える。【選択図】図１
0003215437.tif 000002
【実用新案登録請求の範囲】
【請求項１】
玄関に設置される収納家具に装着される座具であって、該座具は、収納家具に鉛直方向に配設された座板と、座板を水平方向にスライドさせるとともに、左右方向に回転させるスライド機構とを備えることを特徴とする収納式玄関座具。
【請求項２】
前記座板に、収納自在に装着された脚部を備える請求項１記載の収納式玄関座具。
【請求項３】
前記座具の近傍に手すりを装着した請求項１または２記載の収納式玄関座具。
【考案の詳細な説明】
【技術分野】
【０００１】  本考案は、玄関スペースを有効に利用し、玄関での着座を容易に行うことができる収納式玄関座具に関する。
【背景技術】
【０００２】  近日の住宅の玄関においては、バリヤフリー等の利便性を考慮し、玄関土間と廊下の段差は低く設定されている。しかし段差が低いと、廊下に着座して靴を履いたり脱いだりする際に不便性を感じる。また高齢者が玄関でタクシーや送迎車を待つ時、長時間立ち続けていると身体に負担を与えてしまう。そのため、玄関に椅子や簡易ベンチ等を配設させておく場合もあるが、玄関スペースには限界があるため邪魔になってしまうという問題が生じる。【０００３】  それらの問題を解消するために、玄関先で身体への負担を軽減させることができ、また、使用しない時は収納して玄関スペースを確保できる玄関用収納式いすがある（例えば特許文献１参照）。
上掲特許文献１の玄関用収納式いすは、玄関壁面に取付けた壁面カバーと、壁面カバーに水平状に配置した回転軸に一端を枢着した座板と、座板が玄関壁面に対して略９０°回転した水平状態を保持する壁面カバーに設けたストッパー軸とよりなることを特徴とする。
【先行技術文献】
【特許文献】
【０００４】
【特許文献１】特開２００１−４６１７７号公報
【考案の概要】
【考案が解決しようとする課題】
【０００５】  しかしながら、特許文献１玄関用収納式いすは、構造が複雑になりコストアップに繋がるという問題があった。またいすが壁面に設置されているため、外観的にも見栄えが劣るという欠点も生じた。【０００６】  そこで本考案は上記の点に鑑み、玄関のスペースを有効に利用し、玄関での着座を容易に行うことができ、さらには、玄関全体の外観劣化を防ぐ収納式玄関座具を提供することにある。
【解決を解決するための手段】
【０００７】  上記課題を解決するために、玄関に設置される収納家具に装着される収納式玄関座具であって、該収納式玄関座具は、収納家具に鉛直方向に配設された座板と、座板を水平方向にスライドさせるとともに、左右方向に回転させるスライド機構とを備えることを特徴とする。
【０００８】  また前記座板に、収納自在に装着された脚部を備える。
【０００９】  さらに、前記座具の近傍に手すりを装着した。
【考案の効果】
【００１０】  本考案の収納式玄関座具は、収納家具に鉛直方向に配設された座板と、座板を水平方向にスライドさせるとともに、左右方向に回転させるスライド機構とを備えることにより、玄関のスペースを有効に利用することができる。また、座板が収納家具に鉛直方向に収納自在に配設されているため、玄関全体の外観劣化を防ぐことを可能にする。
【図面の簡単な説明】
【００１１】
【図１】本考案における収納式玄関座具の全体図である。
【図２】収納式玄関座具の断面図である。
【図３】座具を引き出した状態の断面図である。
【図４】座具を回転させた状態の正面図である。
【図５】座具を引き出した状態を示す。
【図６】座具を回転させた状態を示す。
【図７】本考案における収納式玄関座具の使用状態である。
【図８】他の好適例、収納式玄関座具の斜視図である。
【考案を実施するための形態】
【００１２】  本考案の収納式玄関座具は、玄関のスペースを有効に利用し、玄関での着座を容易に行うことができ、さらには、玄関全体の外観劣化を防ぐことを特徴とする。
以下、本考案の収納式玄関座具における実施の形態を各図面に基づいて説明する。
【００１３】  図１は、本考案の収納式玄関座具１の設置状態を示すもので、前記収納式玄関座具１は、玄関土間に配置されている下駄箱等の収納家具２０に設置されている。また、収納式玄関座具１の設置箇所は、図中、収納家具２０の略中央部分に設置されているが、これに限定されるものではなく、収納家具２０の側面に設置してもよい。
【００１４】  前記収納式玄関座具１は、収納家具２０の内部に鉛直方向に配設された座板２と、座板２を水平方向にスライドさせるとともに、左右方向に回転させるスライド機構１０とを備える。
【００１５】  座板２は、木材、プラスチック、金属等の素材からなり、略矩形状に形成されている。また座板２は、一般的な大人が着座できる大きさと厚さに形成されており、座板２の前面３には、引き出し用の把手４が設置されている。なお、座板２の前面３は、前記収納家具２０と同系色の色彩に形成されていることが好ましい。
【００１６】  また、前記座板２にはスライド機構１０が設置されている。スライド機構１０は図２に示すように、座板２の内部下方に設置されたアーム１１と、アーム１１の周囲に配置された筒状体１２とからなる。
【００１７】  前記座板２にスライド機構１０を設置することで、把手４を引くことにより、図３に示すように、前記収納家具２０から座板２を容易に引き出すことができる。なお、前記アーム１１または筒状体１２には、座板２の引き出し時に発生する落下防止用のストッパー（図示せず）が設置されている。
【００１８】  また、前記座板２にスライド機構１０は、図４に示すように、アーム１１を中心に座板２を左右どちらにも回転させることができる。そのため、座板２の配置箇所を、玄関スペースに応じて適宜変更することができる。なお、前記座板２に設置されるスライド機構１０は、図示するようなアーム１１または筒状体１２に限定されたものではなく、座板２を水平方向に引き出し、且つ、引き出した後に左右方向に回転できる構造であれば、特に限定されるものではない。
【００１９】  また他の好適例として、前記座板２に、収納自在に装着された脚部１３を備えることが好ましい。脚部１３は、図５に示すように、座板２の底面に一対ずつ、収納自在に設置されている。そのことにより、図６に示すように、座板２を水平方向に保持し、脚部１３を立設することで、着座用の椅子１４を形成することができる。また、前記脚部１３を両側面に立設できる構造とすれば、図４に示すように、左右両方に椅子１４を配置させることができる。さらに、前記座具の近傍に手すりを装着した。
【００２０】  また他の好適例として、前記座具２の近傍に手すり２１を装着した。手すり２１の装着箇所は特に限定されるものではないが、収納された状態の座具２の上部に装着することで、高齢者にとって身体が支えられて安全性と利便性が高まる。
【００２１】  なお、本考案の収納式玄関座具１は、収納家具２０の中央部分はもちろん、図８に示すように、玄関の上がり口の近傍に装着してもよい。
【００２２】  次に、本考案の収納式玄関座具の使用方法を説明する。
先ず、把手４を持ち座板２を引き出す。次に、座板２を任意の方向に回転させ、座板２から脚部１３を立設して椅子１４を形成する。この状態で、図７に示すように座板２に着座する。
【００２３】  使用後は、座板２を鉛直状態に戻して脚部１３を収納させ、座板２を収納家具２０内に納める。そのことにより、玄関に椅子や簡易ベンチを常時配置させる必要がなく、玄関を広く使用することができる。
【００２４】  上述の如く、収納家具に本考案の収納式玄関座具を設置することで、玄関スペースを有効に利用することができ、玄関土間と廊下との段差は低く設定されている玄関であっても、容易に靴を履いたり脱いだりすることができる。また、高齢者が玄関でタクシーや送迎車を待つ時、長時間立ち続けているという問題も解消できる。
【００２５】  なお使用の際、近傍に設置してある手すり２１を把持することで、身体の安定性を向上させることができる。また、座板２上にクッション等の敷物を敷くことで、使用の際の快適さを高めるとともに、座板２の前面３に各種デザインを施せば、玄関の外観的雰囲気を向上させることができる。
【符号の説明】
【００２６】１    収納式玄関座具
２    座板
３    前面
４    把手
１０  スライド機構
１１  アーム
１２  筒状体
１３  脚部
１４  椅子
２０  収納家具
２１  手すり
【図１】
0003215437.tif 000003
【図２】
0003215437.tif 000004
【図３】
0003215437.tif 000005
【図４】
0003215437.tif 000006
【図５】
0003215437.tif 000007
【図６】
0003215437.tif 000008
【図７】
0003215437.tif 000009
【図８】
0003215437.tif 000010